(57)【要約】【課題】四方合決り接合しつつ下地材に留め付けられた外壁板の横ずれを防止すると共に、上下左右接合部からの雨水の浸入を防止することができる、安価で施工容易な横ずれ防止金具を提供すること。【解決手段】四方合決り接合された４枚の外壁板４の上下左右接合部４８に配され、外壁板４の横ずれを防止するための横ずれ防止金具１。横ずれ防止金具１は、固定板部１１と当接板部１２と前方平板部１４と弾性部材１５とを有する。横ずれ防止金具１を上下左右接合部４８に配設する際に、固定板部１１を下地材に固定し、当接板部１２を外壁板４の側端面４３２に当接させ、前方平板部１４を上側の外壁板４の下部係合部４２２と下側の外壁板４の上部下実４１１との突合せ部分の前方に配し、弾性部材１５を上側の外壁板４の下部上実４２１の裏側面に密着させることができるよう構成されている。【選択図】図１
2006200131.tif 000002
【特許請求の範囲】
【請求項１】
四方合決り接合されつつ下地材に留め付けられた４枚の外壁板の上下左右接合部に配され、上記外壁板の横ずれを防止するための横ずれ防止金具であって、
該横ずれ防止金具は、平板状の固定板部と、該固定板部に対して略直角に立設された当接板部と、上記固定板部よりも前方において該固定板部に略平行に配された前方平板部とを有すると共に、該前方平板部の左右端における前面には弾性部材が配されており、
上記横ずれ防止金具を上記上下左右接合部に配設する際に、上記固定板部を上記下地材に固定し、上記当接板部を上記外壁板の側端面に当接させ、上記前方平板部を上側の上記外壁板の下部上実の後方に形成された下部係合部と下側の上記外壁板の上記上部下実との突合せ部分の前方に配し、上記弾性部材を上側の上記外壁板の上記下部上実の裏側面に密着させることができるよう構成されていることを特徴とする横ずれ防止金具。
【請求項２】
請求項１において、上記当接板部は、上記上下左右接合部における上下双方の上記外壁板の側端面に当接するよう構成されていることを特徴とする横ずれ防止金具。
【請求項３】
請求項１又は２において、上記横ずれ防止金具は、上記固定板部に対して略直角に立設されると共に略水平方向に配された水平立設部を有し、該水平立設部の左右端における上面には弾性部材が配されており、上記水平立設部は、上側の上記外壁板の上記下部係合部と下側の上記外壁板の上記上部下実との間に配すると共に、上記弾性部材を上側の上記外壁板の上記下部係合部に密着させることができるよう構成されていることを特徴とする横ずれ防止金具。
【発明の詳細な説明】
【技術分野】
【０００１】
本発明は、四方合決り接合されて配された外壁板の横ずれを防止するための横ずれ防止金具に関する。
【背景技術】
【０００２】
従来より、図１８、図１９に示すごとく、上部下実４１１、下部上実４２１、横下実４３１、及び横上実４４１を有する複数の外壁板４を四方合決り接合しつつ、構造躯体９２に留め付けてなる外壁施工構造９がある（特許文献１の「従来技術」参照）。
該外壁施工構造９においては、上下左右の外壁板４の上下左右接合部４８に配置した留め付け金具９５によって、外壁板４を構造躯体９２に留め付けている。
【０００３】
しかし、上記留め付け金具９５は、外壁板４の上端部及び下端部を係止しているが、外壁板４の左右方向の移動については、特に規制することができない。そのため、外壁板４が左右にずれることにより、外壁施工構造９の外観意匠性が低下したり、左右の外壁板４同士の間に隙間ができて雨水の浸入を招いたりするおそれがある。
また、外壁板４のずれが特に生じていなくても、上方の２枚の外壁板９４の間の接合隙間部４７を伝ってきた雨水が上下左右接合部４８から浸入する場合もある。
そこで、外壁板４の横ずれを防止する横ずれ防止手段、及び雨水の浸入を防ぐ漏水防止手段を、留め付け金具に設けたり、該留め付け金具と重ねて用いるシール金具に設けたりする技術が開示されている（特許文献１、２参照）。
【０００４】
しかしながら、特許文献１に記載の技術は、一つの金具に留め付け機能と共に、漏水防止機能や横ずれ防止機能まで付加しようとするものであり、金具の形状が複雑となり、製造コストが高くなるという問題がある。
また、各機能を充分に発揮できるように金具を配設する必要があるため、必ずしも施工が容易であるとはいえない場合もある。
また、特許文献２に開示されたシール金具は、留め付け金具とは別部材ではあるが、留め付け金具と重ね合わせた状態で配設する必要があるため、配設位置等が制約され、必ずしも施工容易とはいえない。
【０００５】
【特許文献１】特許第３４４４２７５号公報
【特許文献２】特許第３３８１７１３号公報
【発明の開示】
【発明が解決しようとする課題】
【０００６】
本発明は、かかる従来の問題点に鑑みてなされたものであり、四方合決り接合しつつ下地材に留め付けられた外壁板の横ずれを防止すると共に、上下左右接合部からの雨水の浸入を防止することができる、安価で施工容易な横ずれ防止金具を提供しようとするものである。
【課題を解決するための手段】
【０００７】
本発明は、四方合決り接合されつつ下地材に留め付けられた４枚の外壁板の上下左右接合部に配され、上記外壁板の横ずれを防止するための横ずれ防止金具であって、
該横ずれ防止金具は、平板状の固定板部と、該固定板部に対して略直角に立設された当接板部と、上記固定板部よりも前方において該固定板部に略平行に配された前方平板部とを有すると共に、該前方平板部の左右端における前面には弾性部材が配されており、
上記横ずれ防止金具を上記上下左右接合部に配設する際に、上記固定板部を上記下地材に固定し、上記当接板部を上記外壁板の側端面に当接させ、上記前方平板部を上側の上記外壁板の下部上実の後方に形成された下部係合部と下側の上記外壁板の上記上部下実との突合せ部分の前方に配し、上記弾性部材を上側の上記外壁板の上記下部上実の裏側面に密着させることができるよう構成されていることを特徴とする横ずれ防止金具にある（請求項１）。
【０００８】
次に、本発明の作用効果につき説明する。
上記横ずれ防止金具は、上記当接板部を上記外壁板の側端面に当接させつつ、上記固定板部を上記下地材に固定して、上記外壁板の上下左右接合部に配設することができる。そのため、上記外壁板が左右方向へずれることを防ぐことができる。
【０００９】
また、上記横ずれ防止金具は、例えば留め付け金具などの外壁板留め付け機能を有する部材とは別部材としている。即ち、横ずれ防止金具に、外壁板留め付け機能を持たせていない。
そのため、上記横ずれ防止金具の形状を簡素化することができる。具体的には、上記横ずれ防止金具を、上記固定板部と上記当接板部と上記前方平板部と上記弾性部材とによって構成することができ、構成が簡単である。これにより、製作コストを低減することができると共に、施工が容易となる。
【００１０】
また、上記横ずれ防止金具は、上記弾性部材を有するため、上下左右接合部からの雨水の浸入を防ぐことができる。
即ち、上記横ずれ防止金具を上記上下左右接合部に配設すると、上記前方平板部と上記２つの弾性部材と上記外壁板の下部上実との間に通水路が形成される。これにより、上記横ずれ防止金具の上側の２枚の外壁板の間の接合隙間部を伝って落下する雨水は、外壁板の上下左右接合部において、上記通水路を通り、更に、下側の２枚の外壁板の間の接合隙間部を伝って下方へ流下する。
【００１１】
また、上記４枚の外壁板の上下左右接合部において、左右方向へ移動しようとする雨水は上記弾性部材により堰き止められ、雨水が外壁施工構造の内部にまで浸入することがない。
このように、上記横ずれ防止金具を用いることにより、雨水が外壁施工構造の内部に浸入することを確実に防ぐことができ、外壁板や金属胴縁等の腐食や劣化を確実に防止することができる。
【００１２】
以上のごとく、本発明によれば、四方合決り接合しつつ下地材に留め付けられた外壁板の横ずれを防止すると共に、上下左右接合部からの雨水の浸入を防止することができる、安価で施工容易な横ずれ防止金具を提供することができる。
【発明を実施するための最良の形態】
【００１３】
本発明（請求項１）において、上記外壁板を留め付ける下地材は、例えば、建物の構造躯体に固定された木胴縁や金属胴縁であってもよいし、構造躯体そのものであってもよい。或いは、ＡＬＣ壁やＲＣ壁のような外壁板保持能力を有する既存壁に固定された金属胴縁であってもよい。
上記外壁板としては、例えば窯業系外壁板等がある。
また、上記弾性部材としては、例えば、ＥＰＤＭ等からなる独立気泡の発泡体等を用いることができる。
【００１４】
なお、本明細書においては、外壁施工構造の外側を「前」、内側を「後」として説明する。そして、横ずれ防止金具等の部材については、外壁施工構造の構成要素として取り付けられた状態を基準に、「上」、「下」、「左」、「右」、「前」、「後」を説明する。
【００１５】
また、上記当接板部は、上記上下左右接合部における上下双方の上記外壁板の側端面に当接するよう構成されていることが好ましい（請求項２）。
この場合には、上記上下左右接合部の上下２枚の外壁板の横ずれを防止することができる。即ち、各外壁板は、上端部及び下端部の双方において、横ずれ防止金具によって側方から押えられるため、経年変化により外壁板の伸縮が発生した場合であっても、より確実に外壁板の横ずれを防止することができる。
【００１６】
また、上記横ずれ防止金具は、上記固定板部に対して略直角に立設されると共に略水平方向に配された水平立設部を有し、該水平立設部の左右端における上面には弾性部材が配されており、上記水平立設部は、上側の上記外壁板の上記下部係合部と下側の上記外壁板の上記上部下実との間に配すると共に、上記弾性部材を上側の上記外壁板の上記下部係合部に密着させることができるよう構成されていてもよい（請求項３）。
【００１７】
この場合には、万一、雨水が水平立設部の上面へ落下したとしても、雨水の左右への移動を弾性部材によって堰き止めることができる。それ故、外壁施工構造の内部への雨水の浸入を、一層確実に防止することができる。
【実施例】
【００１８】
（実施例１）
本発明の実施例にかかる横ずれ防止金具につき、図１〜図１０を用いて説明する。
本例の横ずれ防止金具１は、図１〜図３に示すごとく、四方合決り接合されつつ下地材としての金属胴縁３に留め付けられた４枚の外壁板４の上下左右接合部４８に配され、上記外壁板４の横ずれを防止する。
上記横ずれ防止金具１は、図４〜図６に示すごとく、平板状の固定板部１１と、該固定板部１１に対して略直角に立設された当接板部１２と、上記固定板部１１よりも前方において該固定板部１１に略平行に配された前方平板部１４とを有する。該前方平板部１４の左右端における前面には弾性部材１５が配されている。
【００１９】
上記横ずれ防止金具１を上記上下左右接合部４８に配設する際には、図１、図２に示すごとく、上記当接板部１２を外壁板４の側端面４３２に当接させた状態で、上記固定板部１１を金属胴縁３に固定する。その際、上記前方平板部１４を上側の外壁板４の下部上実４２１の後方に形成された下部係合部４２２と下側の外壁板４の上部下実４１１との突合せ部分の前方に配し、上記弾性部材１５を上側の外壁板４の下部上実４２１の裏側面に密着させる。
【００２０】
また、図１〜図６に示すごとく、上記横ずれ防止金具１は、固定板部１１と当接板部１２との間の屈曲部１３において、複数の補強用リブ１３１を設けてなる。また、固定板部１１には、２箇所にビス６３を挿通するためのビス孔１１１が穿設されている。
そして、図１、図２に示すごとく、該ビス孔１１１にビス６３を挿通すると共に金属胴縁３にねじ込むことにより、横ずれ防止金具１を金属胴縁３に固定する。なお、ビス６３は、上記２箇所のビス孔１１１のうちの１箇所にのみ挿通してもよい。
【００２１】
また、上記横ずれ防止金具１は、厚み１．０ｍｍ程度のアルミニウム・マグネシウム合金メッキ鋼板を、折り曲げ成形することにより得られる。
また、上記弾性部材１５としては、ＥＰＤＭからなる独立気泡の発泡体を用いることができる。
【００２２】
図９に示すごとく、上記外壁板４は、上端部４１に設けた上部下実４１１と、下端部４２に設けた下部上実４２１と、左右に設けた横下実４３１及び横上実４４１とを有する、いわゆる四方合決り構造の窯業系外壁板である。そして、図１〜図３、図７、図８に示すごとく、下側の外壁板４の上部下実４１１に、上側の外壁板４の下部上実４２１を重ね、左側の外壁板４の横下実４３１に右側の外壁板４の横上実４４１を重ねて施工する。
【００２３】
また、上記外壁板４は、図９に示すごとく、上部下実４１１と横下実４３１にコーキング材４９を打設してなる。該コーキング材４９の上から、図７、図８に示すごとく、他の外壁板４の下部上実４２１或いは横上実４４１が重なり、上記コーキング材４９を押圧することにより、各外壁板４の接合隙間部４７、４７０からの浸水を防いでいる。
なお、上記コーキング材４９は、外壁板４の下部上実４２１及び横上実４４１の裏側面に打設してあってもよい。
【００２４】
図２、図７、図８に示すごとく、上記外壁板４は、該外壁板４の上端部４１及び下端部４２に配した留め付け金具５によって上記金属胴縁３に留め付けられている。
上記留め付け金具５は、図２、図８に示すごとく、上記外壁板４の裏側面４６に当接する基板部５１と、該基板部５１から前方に立設された支承部５２と、該支承部５２から斜め上方へ屈曲した上板係止部５３と、上記支承部５２から斜め下方へ屈曲した下板係止部５４とを有する。そして、下側に配された外壁板４の上端部４１を上記下板係止部５４によって係止し、上側に配された外壁板４の下端部４２を上記支承部５２によって支承すると共に上記上板係止部５３によって係止する。
【００２５】
即ち、上記下板係止部５４が、下側の外壁板４の上端部４１に設けた上部下実４１１を係止する。また上記支承部５２が、上側の外壁板４の下端部４２に設けた下部上実４２１の後方の下部係合部４２２を支承し、上記上板係止部５３が、該下部係合部４２２を係止する。
これにより、外壁板４を金属胴縁３に留め付けている。
【００２６】
図１、図８、図９に示すごとく、外壁板４の下部係合部４２２及び上部下実４１１の前面は、それぞれ下端、上端へ向かうにつれて後退するように傾斜した傾斜面４２３、４１３を有する。この２つの傾斜面４２３、４１３の前方に、図１に示すごとく、上記横ずれ防止金具１の前方平板部１４が配置される。
また、前方平板部１４の前面は、上記傾斜面４２３、４１３以外の横下実４３１の前面よりも後退した位置に配置される。
また、図１に示すごとく、上記横ずれ防止金具１の当接板部１２は、上記上下左右接合部４８における上下双方の外壁板４の側端面４３２に当接する。
【００２７】
また、図１０に示すごとく、上記金属胴縁３は、平板状の背板３１と、該背板３１の幅方向の端部から前方へ立設された一対の立設板３２と、各立設板３２の前端から互いに向き合う方向に屈曲された一対の前板３３、３３０とを有する。各前板３３、３３０の先端部の間には前面開口部３４が一定の幅をもって上下方向に連続形成されている。
【００２８】
図２、図７に示すごとく、上記外壁板４の左右接合部４７の後方には、金属胴縁３が２本並列して配設されている。
該２本の金属胴縁３のうち左側に配設される金属胴縁３については、左側の前板を横方向の幅の狭い幅狭前板３３とし、右側の前板を左側の幅狭前板３３よりも横方向の幅が広い幅広前板３３０としている。また、右側に配設される金属胴縁３については、右側の前板を横方向の幅の狭い幅狭前板３３とし、左側の前板を右側の幅狭前板３３よりも横方向の幅が広い幅広前板３３０としている。
図２に示すごとく、上記横ずれ防止金具１は、この幅広前板３３０に固定されている。
【００２９】
また、図１０に示すごとく、上記金属胴縁３は、背板３１にビス孔３１１を設けてなり、該ビス孔３１１にビス６３を通して構造躯体等に金属胴縁３を固定している（図２）。
上記ビス孔３１１は、金属胴縁３の端部付近に２個形成されており、そのうちの１個は、上記前面開口部３４の後方に形成されている。他の１個は、幅広前板３３０の後方に形成されている。そして、このビス孔３１１の前方における上記幅広前板３３０には、上記ビス孔３１１にビス６３を配置したりビスねじ込み用のドライバ等を挿通させたりするためのビス導入孔３３１が形成されている。
本例においては、図２に示すごとく、幅広前板３３０の後方におけるビス孔３１１のみにビス６３を通して金属胴縁３を構造躯体２に固定しているが、前面開口部３４の後方におけるビス孔３１１にもビス６３を通して固定してもよい。
【００３０】
また、図８に示すごとく、上記留め付け金具５は、その背面側に設けた係合板５５を、上記金属胴縁３における上記一対の前板３３、３３０に係合させることにより、該金属胴縁３に固定されている。
即ち、上記係合板５５は、留め付け金具５の基板部５１に挿通した固定ネジ５５１に螺合されている。そして、上記係合板５５を上記金属胴縁３の前板３３、３３０の間から該前板３３、３３０の後方へ押し込む。そして、その状態から上記固定ネジ５５１を回転させることにより、上記係合板５５も回動し、上記前板３３、３３０に係合される。
また、上記係合板５５は、図８に示すごとく、上記固定ネジ５５１のネジ溝５５２に嵌合させる嵌合爪５５３を設けてなる。該嵌合爪５５３がネジ溝５５２に嵌合することにより、固定ネジ５５１の緩みを防止して、外壁施工構造１の耐久性の向上を図っている。
【００３１】
次に、本例の作用効果につき説明する。
上記横ずれ防止金具１は、図１〜図３に示すごとく、上記当接板部１２を外壁板４の側端面４３２に当接させつつ、上記固定板部１１を下地材としての金属胴縁３に固定して、４枚の外壁板４の上下左右接合部４８に配設することができる。そのため、上記外壁板４が左右方向へずれることを防ぐことができる。
【００３２】
また、上記横ずれ防止金具１は、留め付け金具５とは別部材としている。即ち、横ずれ防止金具１に、外壁板留め付け機能を持たせていない。外壁板４の留め付けは、横ずれ防止金具１とは別部材である留め付け金具５によって行う。
そのため、上記横ずれ防止金具１の形状を簡素化することができる。具体的には、図４〜図６に示すごとく、上記横ずれ防止金具１を、固定板部１１と当接板部１２と前方平板部１４と弾性部材１５とによって構成することができ、構成が簡単である。これにより、製作コストを低減することができると共に、施工が容易となる。
【００３３】
また、上記横ずれ防止金具１は、上記弾性部材１５を有するため、上下左右接合部４８からの雨水の浸入を防ぐことができる。
即ち、上記横ずれ防止金具１を上下左右接合部４８に配設すると、図３に示すごとく、上記前方平板部１４と上記２つの弾性部材１５と上記外壁板４の下部上実４２１との間に通水路６４が形成される。これにより、上記横ずれ防止金具１の上側の２枚の外壁板４の間の接合隙間部４７を伝って落下する雨水７は、外壁板４の上下左右接合部４８において、上記通水路６４を通り、更に、下側の２枚の外壁板４の間の接合隙間部４７を伝って下方へ流下する。
【００３４】
また、上記上下左右接合部４８において、左右方向へ移動しようとする雨水７は上記弾性部材１５により堰き止められ、雨水７が外壁施工構造６の内部にまで浸入することがない。
このように、上記横ずれ防止金具１を用いることにより、雨水７が外壁施工構造６の内部に浸入することを確実に防ぐことができ、外壁板４や金属胴縁３等の腐食や劣化を確実に防止することができる。
【００３５】
また、図１に示すごとく、上記当接板部１２は、上記４枚の外壁板４の上下左右接合部４８における上下双方の外壁板４の側端面４３２に当接するよう構成されている。これにより、上記４枚の外壁板４の上下左右接合部４８の上下２枚の外壁板４の横ずれを防止することができる。即ち、各外壁板４は、上端部４１及び下端部４２の双方において、横ずれ防止金具１によって側方から押えられるため、経年変化により外壁板４の伸縮が発生した場合であっても、より確実に外壁板４の横ずれを防止することができる。
【００３６】
以上のごとく、本例によれば、四方合決り接合しつつ下地材に留め付けられた外壁板の横ずれを防止すると共に、上下左右接合部からの雨水の浸入を防止することができる、安価で施工容易な横ずれ防止金具を提供することができる。
【００３７】
（実施例２）
本例は、図１１〜図１３に示すごとく、水平立設部１６を設けた横ずれ防止金具１ａの例である。
即ち、上記横ずれ防止金具１ａは、固定板部１１に対して略直角に立設されると共に略水平方向に配された上記水平立設部１６を有し、該水平立設部１６の左右端における上面には弾性部材１５が配されている。図１３に示すごとく、上記水平立設部１６は、上側の外壁板４の下部係合部４２２と下側の外壁板４の上部下実４１１との間に配すると共に、上記弾性部材１６を上側の外壁板４の下部係合部４２２に密着させることができる。
【００３８】
また、図１１に示すごとく、上記水平立設部１６の右側上方における固定板部１１において２個のビス６３により横ずれ防止金具１ａを金属胴縁３に固定している。
また、ビス６３を配設する部分の周囲には、固定板部１１を補強するためのリブ１１２が形成されている。
また、図１２に示すごとく、上記前方平板部１４の前面に配設された弾性部材１５は、上記水平立設部１６の上面にまで延設されている。
【００３９】
図１１に示すごとく、外壁板４の左右接合部４７の後方には、金属胴縁３を裏向きに配設し、該金属胴縁３の背板３１に横ずれ防止金具１ａを固定する。
上記金属胴縁３は、背板３１を前方（外壁板４側）に向け、前板３３を後方（構造躯体側）に向けた状態で配設される。
【００４０】
また、この金属胴縁３の左右にそれぞれ留め付け金具５を固定するための金属胴縁３を配設する。該金属胴縁３は表向き、即ち前板３３が前方となるように配設する。
上記金属胴縁３は、左右一対の前板３３の幅は互いに同じであり、実施例１のものよりも全体の左右幅も小さい。
その他は、実施例１と同様である。
【００４１】
本例の場合には、図１３に示すごとく、水平立設部１６に配設した弾性部材１５を上側の外壁板４の下端部４２に密着させることができる。それ故、万一、雨水が水平立設部１６の上面へ落下したとしても、雨水の左右への移動を弾性部材１５によって堰き止めることができる。それ故、外壁施工構造６の内部への雨水の浸入を、一層確実に防止することができる。
その他、実施例１と同様の作用効果を有する。
【００４２】
（実施例３）
本例は、図１４、図１５に示すごとく、水平立設部１６を設けた横ずれ防止金具１ｂの例である。
上記横ずれ防止金具１ｂは、当接板部１２の上方において、固定板部１１から略水平方向に水平立設部１６を立設しており、該水平立設部１６の前端に前方平板部１４が配設されている。また、上記水平立設部１６の上方における固定板部１１においてビス６３により横ずれ防止金具１ｂを金属胴縁３に固定している。
また、図１５に示すごとく、上記前方平板部１４の前面に配設された弾性部材１５は、上記水平立設部１６の上面にまで延設されている。
その他は、実施例２と同様である。
【００４３】
本例の場合にも、水平立設部１６に配設した弾性部材１５を上側の外壁板４の下端部４２に密着させることができ、より一層雨水の浸入を防止することができる。
その他、実施例２と同様の作用効果を有する。
【００４４】
（実施例４）
本例は、図１６、図１７に示すごとく、横ずれ防止金具１ｃの形状を変化させた他の例である。
上記横ずれ防止金具１ｃは、当接板部１２の上方において、固定板部１１から略水平方向に水平立設部１６を立設しており、該水平立設部１６の前端に前方平板部１４が配設されている。また、上記水平立設部１６の下方右側における固定板部１１において２個のビス６３により横ずれ防止金具１ｃを金属胴縁３に固定している。
また、図１７に示すごとく、上記前方平板部１４の前面に配設された弾性部材１５は、上記水平立設部１６の上面にまで延設されている。
その他は、実施例２と同様である。
【００４５】
本例の場合にも、水平立設部１６に配設した弾性部材１５を上側の外壁板４の下端部４２に密着させることができ、より一層雨水の浸入を防止することができる。
その他、実施例２と同様の作用効果を有する。
【００４６】
なお、上記実施例においては、金属胴縁からなる下地材に横ずれ防止金具を固定する例を示したが、本発明の横ずれ防止金具は、これに限らず、例えば木胴縁、構造躯体の柱等、種々の下地材に固定して用いることができる。
【図面の簡単な説明】
【００４７】
【図１】実施例１における、上下左右接合部に配設された横ずれ防止金具の斜視図。
【図２】実施例１における、上下左右接合部に配設された横ずれ防止金具の正面図。
【図３】実施例１における、防水機能を説明するための外壁施工構造の正面図。
【図４】実施例１における、横ずれ防止金具の上面図。
【図５】実施例１における、横ずれ防止金具の正面図。
【図６】実施例１における、横ずれ防止金具の側面図。
【図７】実施例１における、外壁施工構造の正面図。
【図８】実施例１における、外壁施工構造の上下接合部付近の縦断面図。
【図９】実施例１における、外壁板の斜視図。
【図１０】実施例１における、金属胴縁の斜視図。
【図１１】実施例２における、上下左右接合部に配設された横ずれ防止金具の正面図。
【図１２】実施例２における、横ずれ防止金具の側面図。
【図１３】実施例２における、上下左右接合部に横ずれ防止金具を配設した外壁施工構造の縦断面図。
【図１４】実施例３における、上下左右接合部に配設された横ずれ防止金具の正面図。
【図１５】実施例３における、横ずれ防止金具の側面図。
【図１６】実施例４における、上下左右接合部に配設された横ずれ防止金具の正面図。
【図１７】実施例４における、横ずれ防止金具の側面図。
【図１８】従来例における、外壁施工構造の正面図。
【図１９】従来例における、外壁施工構造の上下左右接合部付近の斜視図。
【符号の説明】
【００４８】
１、１ａ〜１ｃ  横ずれ防止金具
１１  固定板部
１２  当接板部
１４  前方平板部
１５  弾性部材
３  金属胴縁
４  外壁板
４１１  上部下実
４２１  下部上実
４２２  下部係合部
４３２  側端面
５  留め付け金具
６  外壁施工構造
【図１】
2006200131.tif 000003
【図２】
2006200131.tif 000004
【図３】
2006200131.tif 000005
【図４】
2006200131.tif 000006
【図５】
2006200131.tif 000007
【図６】
2006200131.tif 000008
【図７】
2006200131.tif 000009
【図８】
2006200131.tif 000010
【図９】
2006200131.tif 000011
【図１０】
2006200131.tif 000012
【図１１】
2006200131.tif 000013
【図１２】
2006200131.tif 000014
【図１３】
2006200131.tif 000015
【図１４】
2006200131.tif 000016
【図１５】
2006200131.tif 000017
【図１６】
2006200131.tif 000018
【図１７】
2006200131.tif 000019
【図１８】
2006200131.tif 000020
【図１９】
2006200131.tif 000021